(57)【特許請求の範囲】
【請求項１】
直列に接続した第１から第４のスイッチ素子と、
第１の前記スイッチ素子と第２の前記スイッチ素子との第１接続点と、第３の前記スイッチ素子と第４の前記スイッチ素子との第２接続点との間に、直列に接続した２個のダイオードと、
前記ダイオード同士を接続する第３接続点と、第１の前記スイッチ素子との間に接続した第１電荷蓄積要素と、
前記第３接続点と、第４の前記スイッチ素子との間に接続した第２電荷蓄積要素とを備え、第１から第４の前記スイッチ素子のオン状態とオフ状態とを組合わせ、３個の電圧レベルを出力することが可能な３レベルインバータを、ｎを１以上の整数とした場合に、２ｎ個直列に接続してある直列３レベルインバータ群と、
前記直列３レベルインバータ群のうちの２個の前記３レベルインバータの出力を選択する少なくとも１個のスイッチ回路と
を備える電力変換装置であって、
前記直列３レベルインバータ群は、隣合う一方の前記３レベルインバータの第４の前記スイッチ素子と前記第２電荷蓄積要素との第４接続点と、隣合う他方の前記３レベルインバータの第１の前記スイッチ素子と前記第１電荷蓄積要素との第５接続点との接続を繰返して２ｎ個の前記３レベルインバータを直列に接続し、
前記スイッチ回路は、前記直列３レベルインバータ群の隣合う２個の前記３レベルインバータの出力のうち、いずれか一方を選択することが可能なように２ｎ−１個接続し、
前記スイッチ回路が２個以上の場合、前段に接続された２個の前記スイッチ回路の出力のうち、いずれか一方を選択することが可能なように次段の前記スイッチ回路を順に接続して１つの出力を得る、電力変換装置。
【請求項２】
前記スイッチ素子と前記第１電荷蓄積要素または第２電荷蓄積要素との間、前記ダイオードと前記第１電荷蓄積要素または第２電荷蓄積要素との間に、電流の急変を抑制するスナバ回路をさらに備える、請求項１に記載の電力変換装置。
【発明の詳細な説明】
【技術分野】
【０００１】
本発明は、電力変換装置に関し、特に、異なる複数の電圧レベルを出力することが可能な電力変換装置に関する。
【背景技術】
【０００２】
複数の直流電源から直流電圧の積重ねを１周期の間で変化させ、直流電力を交流電力に変換する電力変換装置が提案されている。この電力変換装置は、１つの直流電源を持つインバータのように一定のパルス状の電圧を生成するのではなく、電位の異なる複数の直流電圧を積重ねて、直流電力を交流電力に変換する。そのため、この電力変換装置は、電位の異なる複数の直流電圧をきめ細かく無駄なく積重ねることで、１つの直流電源を持つ電力変換装置に比べて、直流電力を高調波の少ない交流電力に変換することができる。
【０００３】
具体的に、特許文献１に、前述の電力変換装置であるマルチレベルインバータが開示してある。
【０００４】
特許文献１に開示してあるマルチレベルインバータは、直列に接続されマルチレベル端子電圧を構成するレドックスフロー型２次電池と、マルチレベル端子の電位の積重ねを制御して交流電力を構成するインバータ部とを備えている。インバータ部は、合計８個のスィッチング素子と、６個のダイオードとを備え、制御部の指示によってスィッチング素子の開閉を制御している。
【先行技術文献】
【特許文献】
【０００５】
【特許文献１】特開２０００−３４１９６４号公報
【発明の概要】
【発明が解決しようとする課題】
【０００６】
図５は、特許文献１に開示してある従来の電力変換装置の回路構成を示す回路図である。図５に示す電力変換装置１００は、異なる５個の電圧レベルを出力することが可能な５レベルインバータである。電力変換装置１００は、４個の直流電源Ｖ、８個のスイッチ素子Ｓ１０１〜Ｓ１０８、６個のダイオードＤ１０１〜Ｄ１０６を備えている。
【０００７】
電力変換装置１００は、４個の直流電源Ｖの中間点を中点Ｖ０とし、中点Ｖ０の電圧レベルを“０Ｖ”とする。そのため、電力変換装置１００は、中点Ｖ０より１個の直流電源Ｖ分だけプラス電位の電圧レベルが“＋１Ｖ”となり、中点Ｖ０より２個の直流電源Ｖ分だけプラス電位の電圧レベルが“＋２Ｖ”となる。逆に、電力変換装置１００は、中点Ｖ０より１個の直流電源Ｖ分だけマイナス電位の電圧レベルが“−１Ｖ”となり、中点Ｖ０より２個の直流電源Ｖ分だけマイナス電位の電圧レベルが“−２Ｖ”となる。
【０００８】
電力変換装置１００は、スイッチ素子Ｓ１０１，Ｓ１０２，Ｓ１０３，Ｓ１０４をオン状態にすることで出力端子に“＋２Ｖ”の電圧レベルの電位を出力し、スイッチ素子Ｓ１０２，Ｓ１０３，Ｓ１０４，Ｓ１０５をオン状態にすることで出力端子に“＋１Ｖ”の電圧レベルの電位を出力することができる。また、電力変換装置１００は、スイッチ素子Ｓ１０３，Ｓ１０４，Ｓ１０５，Ｓ１０６をオン状態にすることで出力端子に“０Ｖ”の電圧レベルの電位を出力することができる。さらに、電力変換装置１００は、スイッチ素子Ｓ１０４，Ｓ１０５，Ｓ１０６，Ｓ１０７をオン状態にすることで出力端子に“−１Ｖ”の電圧レベルの電位を出力し、スイッチ素子Ｓ１０５，Ｓ１０６，Ｓ１０７，Ｓ１０８をオン状態にすることで出力端子に“−２Ｖ”の電圧レベルの電位を出力することができる。したがって、電力変換装置１００は、出力端子から異なる５個の電圧レベル（“−２Ｖ”，“−１Ｖ”，“０Ｖ”，“＋１Ｖ”，“＋２Ｖ”）を出力することができる。
【０００９】
しかし、電力変換装置１００では、出力端子から“−２Ｖ”の電圧レベルの電位を出力するために、スイッチ素子Ｓ１０５，Ｓ１０６，Ｓ１０７，Ｓ１０８をオン状態にすると、ダイオードＤ１０２，Ｄ１０４，Ｄ１０６のアノード端子の電圧レベルが“−２Ｖ”となり、ダイオードＤ１０２は、カソード端子が“＋１Ｖ”の電圧レベルに接続されているので、３個の直流電源Ｖ分の電圧が印加されることになる。同様に、ダイオードＤ１０４には、２個の直流電源Ｖ分の電圧が印加され、ダイオードＤ１０６には、１個の直流電源Ｖ分の電圧が印加されることになる。
【００１０】
また、電力変換装置１００では、出力端子から“＋２Ｖ”の電圧レベルの電位を出力するために、スイッチ素子Ｓ１０１，Ｓ１０２，Ｓ１０３，Ｓ１０４をオン状態にすると、ダイオードＤ１０１，Ｄ１０３，Ｄ１０５のアノード端子の電圧レベルが“＋２Ｖ”となり、ダイオードＤ１０５は、カソード端子が“−１Ｖ”の電圧レベルに接続されているので、３個の直流電源Ｖ分の電圧が印加されることになる。同様に、ダイオードＤ１０３には、２個の直流電源Ｖ分の電圧が印加され、ダイオードＤ１０１には、１個の直流電源Ｖ分の電圧が印加されることになる。
【００１１】
このように、特許文献１に開示してあるマルチレベルインバータは、直流電源とスイッチ素子との間を接続するダイオードＤ１０２，Ｄ１０５にダイオードＤ１０１，Ｄ１０６に比べて３倍の耐圧、ダイオードＤ１０３，Ｄ１０４にダイオードＤ１０１，Ｄ１０６に比べて２倍の耐圧がそれぞれ必要である。そのため、特許文献１に開示してあるマルチレベルインバータでは、耐圧の異なるダイオードを使用するか、ダイオードを２個または３個直列に接続して耐圧を高める必要があり、装置が複雑になるので製造が困難であった。
【００１２】
また、特許文献１に開示してあるマルチレベルインバータは、出力する電圧レベルの数がより多くなると、ダイオードにさらに高い耐圧が必要となり、直流電源とスイッチ素子との間に接続するダイオードの構成が複雑となり、さらに製造が困難になる。
【００１３】
それゆえに、本発明は、上記問題点を解決するためになされたものであり、製造が容易な構成の電力変換装置を提供することを目的とする。
【課題を解決するための手段】
【００１４】
上記課題を解決するために、本発明は、直列に接続した第１から第４のスイッチ素子と、第１のスイッチ素子と第２のスイッチ素子との第１接続点と、第３のスイッチ素子と第４のスイッチ素子との第２接続点との間に、直列に接続した２個のダイオードと、ダイオード同士を接続する第３接続点と、第１のスイッチ素子との間に接続した第１電荷蓄積要素と、第３接続点と、第４のスイッチ素子との間に接続した第２電荷蓄積要素とを備え、第１から第４のスイッチ素子のオン状態とオフ状態とを組合わせ、３個の電圧レベルを出力することが可能な３レベルインバータを、ｎを１以上の整数とした場合に、２ｎ個直列に接続してある直列３レベルインバータ群と、直列３レベルインバータ群のうちの２個の３レベルインバータの出力を選択する少なくとも１個のスイッチ回路とを備える電力変換装置であって、直列３レベルインバータ群は、隣合う一方の３レベルインバータの第４のスイッチ素子と第２電荷蓄積要素との第４接続点と、隣合う他方の３レベルインバータの第１のスイッチ素子と第１電荷蓄積要素との第５接続点との接続を繰返して２ｎ個の３レベルインバータを直列に接続し、スイッチ回路は、直列３レベルインバータ群の隣合う２個の３レベルインバータの出力のうち、いずれか一方を選択することが可能なように２ｎ−１個接続し、スイッチ回路が２個以上の場合、前段に接続された２個のスイッチ回路の出力のうち、いずれか一方を選択することが可能なように次段のスイッチ回路を順に接続して１つの出力を得る。
【発明の効果】
【００１５】
本発明に係る電力変換装置によれば、複数の３レベルインバータを直列に接続した直列３レベルインバータ群と、複数の３レベルインバータの出力を選択する少なくとも１個のスイッチ回路とを備える構成にすることで、出力する電圧レベルの数によらず、耐圧の必要な素子をスイッチ回路に集中させることができるため、製造が容易な構成とすることができる。
【図面の簡単な説明】
【００１６】
【図１】本発明の実施の形態１に係る電力変換装置の回路構成を示す回路図である。
【図２】図１に示す電力変換装置が出力する電圧レベルの波形を示す波形図である。
【図３】本発明の実施の形態１に係る電力変換装置の別の回路構成を示す回路図である。
【図４】図３に示す電力変換装置が出力する電圧レベルの波形を示す波形図である。
【図５】特許文献１に開示してある従来の電力変換装置の回路構成を示す回路図である。
【発明を実施するための形態】
【００１７】
以下、本発明に係る実施の形態について図面を参照して説明する。
（実施の形態１）
図１は、本発明の実施の形態１に係る電力変換装置の回路構成を示す回路図である。図１に示す電力変換装置１０は、異なる５個の電圧レベルを出力することが可能な５レベルインバータである。電力変換装置１０は、４個の直流電源Ｖ、１０個のスイッチ素子Ｓ１〜Ｓ１０、４個のダイオードＤ１〜Ｄ４、出力端子を備えている。
【００１８】
電力変換装置１０は、異なる３個の電圧レベルを出力することが可能な２個の３レベルインバータ１０ａ，１０ｂと、２個の３レベルインバータ１０ａ，１０ｂの出力を選択する１個のスイッチ回路１１とを備える。３レベルインバータ１０ａは、直列接続された４個のスイッチ素子Ｓ１〜Ｓ４、直列接続されたダイオードＤ１，Ｄ２、直列接続された直流電源ＶであるコンデンサＣ１，Ｃ２を含んでいる。３レベルインバータ１０ａは、スイッチ素子Ｓ１とスイッチ素子Ｓ２との接続点Ｐ１と、スイッチ素子Ｓ３とスイッチ素子Ｓ４との接続点Ｐ２との間にダイオードＤ１，Ｄ２を直列に接続する。さらに、３レベルインバータ１０ａは、ダイオードＤ１，Ｄ２同士を接続する接続点Ｐ３とスイッチ素子Ｓ１との間にコンデンサＣ１を接続し、接続点Ｐ３とスイッチ素子Ｓ４との間にコンデンサＣ２を接続する。なお、３レベルインバータ１０ｂも、３レベルインバータ１０ａと同じ回路構成であるため、詳細な説明を繰返さない。
【００１９】
スイッチ回路１１は、スイッチ素子Ｓ９およびスイッチ素子Ｓ１０で構成され、スイッチ素子Ｓ９またはスイッチ素子Ｓ１０がオン状態となることで、３レベルインバータ１０ａまたは３レベルインバータ１０ｂの出力を選択する。
【００２０】
３レベルインバータ１０ａは、スイッチ素子Ｓ１，Ｓ２をオン状態にすることで、直列接続されたコンデンサＣ１，Ｃ２におけるコンデンサＣ１のプラス側電位“＋２Ｖ”を出力することができ、スイッチ素子Ｓ２，Ｓ３をオン状態にすることで、直列接続されたコンデンサＣ１，Ｃ２同士の接続点Ｐ４の電位“＋１Ｖ”を出力することができる。さらに、３レベルインバータ１０ａは、スイッチ素子Ｓ３，Ｓ４をオン状態にすることで、直列接続されたコンデンサＣ１，Ｃ２におけるコンデンサＣ２のマイナス側電位“０Ｖ”を出力することができる。したがって、３レベルインバータ１０ａは、“０Ｖ”，“＋１Ｖ”，“＋２Ｖ”の３つの電圧レベルを出力することができる。
【００２１】
３レベルインバータ１０ｂは、３レベルインバータ１０ａと同じ動作が可能であるため、“０Ｖ”，“−１Ｖ”，“−２Ｖ”の３つの電圧レベルを出力することができる。
【００２２】
よって、電力変換装置１０は、スイッチ回路１１のスイッチ素子Ｓ９とスイッチ素子Ｓ１０とのオン状態を切替えることで、直列接続された３レベルインバータ１０ａ，１０ｂのいずれか一方の出力を選択することで、出力端子から異なる５個の電圧レベル（“−２Ｖ”，“−１Ｖ”，“０Ｖ”，“＋１Ｖ”，“＋２Ｖ”）を出力することができる。なお、コンデンサＣ２のマイナス側電位と、コンデンサＣ３のプラス側電位とは、同電位“０Ｖ”である。
【００２３】
次に、電力変換装置１０の動作について説明する。図２は、図１に示す電力変換装置１０が出力する電圧レベルの波形を示す波形図である。
【００２４】
まず、電力変換装置１０は、スイッチ素子Ｓ３，Ｓ４をオン状態、スイッチ回路１１のスイッチ素子Ｓ９をオン状態（スイッチ素子Ｓ１０はオフ状態）にして、出力端子から電圧レベル“０Ｖ”を出力する。その後、電力変換装置１０は、時間ｔ１に、スイッチ素子Ｓ２，Ｓ３をオン状態、スイッチ回路１１のスイッチ素子Ｓ９をオン状態にして、出力端子から電圧レベル“＋１Ｖ”を出力する。
【００２５】
そして、電力変換装置１０は、時間ｔ２に、スイッチ素子Ｓ１，Ｓ２をオン状態、スイッチ回路１１のスイッチ素子Ｓ９をオン状態にして、出力端子から電圧レベル“＋２Ｖ”を出力する。その後、電力変換装置１０は、出力端子から電圧レベルを“＋１”、“０”と順に下げる。
【００２６】
なお、電力変換装置１０は、スイッチ素子Ｓ５，Ｓ６をオン状態、スイッチ回路１１のスイッチ素子Ｓ１０をオン状態にして、出力端子から電圧レベル“０Ｖ”を出力してもよい。
【００２７】
電力変換装置１０は、時間ｔ３に、スイッチ素子Ｓ６，Ｓ７をオン状態、スイッチ回路１１のスイッチ素子Ｓ１０をオン状態にして、出力端子から電圧レベル“−１Ｖ”を出力する。
【００２８】
そして、電力変換装置１０は、時間ｔ４に、スイッチ素子Ｓ７，Ｓ８をオン状態、スイッチ回路１１のスイッチ素子Ｓ１０をオン状態にして、出力端子から電圧レベル“−２Ｖ”を出力する。その後、電力変換装置１０は、出力端子から電圧レベルを“−１”、“０”と順に上げる。
【００２９】
電力変換装置１０は、前述のように異なる５個の電圧レベル（“−２Ｖ”，“−１Ｖ”，“０Ｖ”，“＋１Ｖ”，“＋２Ｖ”）を切替え出力する動作を行なうことで、図２に示す破線のような交流電圧を出力することができ、直流電力を交流電力に変換することができる。
【００３０】
３レベルインバータ１０ａ，１０ｂは、構成するスイッチ素子Ｓ１〜Ｓ８、ダイオードＤ１〜Ｄ４において、スイッチ素子がオフ状態のときにそれぞれの素子の両端に１個分のコンデンサの電圧が印加されるのみである。スイッチ回路１１は、構成するスイッチ素子Ｓ９，Ｓ１０において、出力端子から“＋２Ｖ”を出力する場合、スイッチ素子Ｓ９をオン状態、スイッチ素子Ｓ１０をオフ状態となるので、スイッチ素子Ｓ１０の両端に２個分のコンデンサの電圧が印加される。また、スイッチ回路１１は、構成するスイッチ素子Ｓ９，Ｓ１０において、出力端子から“−２Ｖ”を出力する場合、スイッチ素子Ｓ１０をオン状態、スイッチ素子Ｓ９をオフ状態となるので、スイッチ素子Ｓ９の両端に２個分のコンデンサの電圧が印加される。
【００３１】
以上のように、本発明の実施の形態１に係る電力変換装置１０は、３レベルインバータ１０ａ，１０ｂが２つ直列に接続された特別に耐圧の大きな素子が不要な直列３レベルインバータ群と、スイッチ回路１１とを備える構成とすることで、高い電圧が印加される素子をスイッチ回路１１を構成する素子に限定することができる。すなわち、電力変換装置１０は、既存の耐圧の素子を用いた３レベルインバータを２個直列に接続し、３レベルインバータの出力を選択するスイッチ回路を設けるだけで製造できるため、製造が容易な構成とすることができる。
【００３２】
なお、本発明の実施の形態１に係る電力変換装置は、異なる５個の電圧レベルを出力することが可能な電力変換装置に限定されるものではなく、直列に接続された３レベルインバータおよびスイッチ回路を増やすことで、出力する電圧レベルの数を容易に増やすことができる。
【００３３】
具体的に、図３は、本発明の実施の形態１に係る電力変換装置の別の回路構成を示す回路図である。図３に示す電力変換装置２０は、異なる９個の電圧レベルを出力することが可能な９レベルインバータである。電力変換装置２０は、８個の直流電源Ｖ、２２個のスイッチ素子Ｓ１〜Ｓ２２、８個のダイオードＤ１〜Ｄ８を備えている。なお、スイッチ素子Ｓ１〜Ｓ２２には、フリーホイールダイオードをそれぞれ接続してある。
【００３４】
電力変換装置２０は、４個の３レベルインバータ２０ａ，２０ｂ，２０ｃ，２０ｄが直列接続された直列３レベルインバータ群と、２個の３レベルインバータ２０ａ，２０ｂの出力を選択する１個のスイッチ回路２１と、２個の３レベルインバータ２０ｃ，２０ｄの出力を選択する１個のスイッチ回路２２と、前段に接続された２個のスイッチ回路２１，２２の出力のうち、いずれか一方を選択することが可能なように次段のスイッチ回路２３とを備える。
【００３５】
８個の直流電源Ｖの中間点を中点Ｖ０とし、中点Ｖ０の電圧レベルを“０Ｖ”とする。そのため、中点Ｖ０より上側の４個の直流電源Ｖの接続点の電圧レベルは、中点Ｖ０の側から順に“＋１Ｖ”，“＋２Ｖ”，“＋３Ｖ”となり、中点Ｖ０より下側の４個の直流電源Ｖの接続点の電圧レベルは、中点Ｖ０の側から順に“−１Ｖ”，“−２Ｖ”，“−３Ｖ”となる。また、直流電源Ｖとスイッチ素子Ｓ１との接続点の電圧レベルは“＋４Ｖ”となり、直流電源Ｖとスイッチ素子Ｓ１８との接続点の電圧レベルは“−４Ｖ”となる。
【００３６】
次に、電力変換装置２０の動作について説明する。図４は、図３に示す電力変換装置２０が出力する電圧レベルの波形を示す波形図である。
【００３７】
まず、電力変換装置２０は、スイッチ素子Ｓ７，Ｓ８をオン状態、スイッチ回路２１のスイッチ素子Ｓ１０をオン状態、スイッチ回路２３のスイッチ素子Ｓ２１をオン状態にして、出力端子から電圧レベル“０Ｖ”を出力する。その後、電力変換装置２０は、時間ｔ１に、スイッチ素子Ｓ６，Ｓ７をオン状態、スイッチ回路２１のスイッチ素子Ｓ１０をオン状態、スイッチ回路２３のスイッチ素子Ｓ２１をオン状態にして、出力端子から電圧レベル“＋１Ｖ”を出力する。
【００３８】
そして、電力変換装置２０は、時間ｔ２に、スイッチ素子Ｓ５，Ｓ６をオン状態、スイッチ回路２１のスイッチ素子Ｓ１０をオン状態、スイッチ回路２３のスイッチ素子Ｓ２１をオン状態にして、出力端子から電圧レベル“＋２Ｖ”を出力する。
【００３９】
なお、電力変換装置２０は、スイッチ素子Ｓ３，Ｓ４をオン状態、スイッチ回路２１のスイッチ素子Ｓ９をオン状態、スイッチ回路２３のスイッチ素子Ｓ２１をオン状態にして、出力端子から電圧レベル“＋２Ｖ”を出力してもよい。
【００４０】
その後、電力変換装置２０は、時間ｔ３に、スイッチ素子Ｓ２，Ｓ３をオン状態、スイッチ回路２１のスイッチ素子Ｓ９をオン状態、スイッチ回路２３のスイッチ素子Ｓ２１をオン状態にして、出力端子から電圧レベル“＋３Ｖ”を出力する。
【００４１】
そして、電力変換装置２０は、時間ｔ４に、スイッチ素子Ｓ１，Ｓ２をオン状態、スイッチ回路２１のスイッチ素子Ｓ９をオン状態、スイッチ回路２３のスイッチ素子Ｓ２１をオン状態にして、出力端子から電圧レベル“＋４Ｖ”を出力する。その後、電力変換装置２０は、出力端子から電圧レベルを“＋３Ｖ”、“＋２Ｖ”、“＋１Ｖ”、“０Ｖ”と順に下げる。
【００４２】
なお、電力変換装置２０は、スイッチ素子Ｓ１１，Ｓ１２をオン状態、スイッチ回路２２のスイッチ素子Ｓ１９をオン状態、スイッチ回路２３のスイッチ素子Ｓ２２をオン状態にして、出力端子から電圧レベル“０Ｖ”を出力してもよい。
【００４３】
電力変換装置２０は、時間ｔ５に、スイッチ素子Ｓ１２，Ｓ１３をオン状態、スイッチ回路２２のスイッチ素子Ｓ１９をオン状態、スイッチ回路２３のスイッチ素子Ｓ２２をオン状態にして、出力端子から電圧レベル“−１Ｖ”を出力する。
【００４４】
そして、電力変換装置２０は、時間ｔ６に、スイッチ素子Ｓ１３，Ｓ１４をオン状態、スイッチ回路２２のスイッチ素子Ｓ１９をオン状態、スイッチ回路２３のスイッチ素子Ｓ２２をオン状態にして、出力端子から電圧レベル“−２Ｖ”を出力する。
【００４５】
なお、電力変換装置２０は、スイッチ素子Ｓ１５，Ｓ１６をオン状態、スイッチ回路２２のスイッチ素子Ｓ２０をオン状態、スイッチ回路２３のスイッチ素子Ｓ２２をオン状態にして、出力端子から電圧レベル“−２Ｖ”を出力してもよい。
【００４６】
その後、電力変換装置２０は、時間ｔ７に、スイッチ素子Ｓ１６，Ｓ１７をオン状態、スイッチ回路２２のスイッチ素子Ｓ２０をオン状態、スイッチ回路２３のスイッチ素子Ｓ２２をオン状態にして、出力端子から電圧レベル“−３Ｖ”を出力する。
【００４７】
そして、電力変換装置２０は、時間ｔ８に、スイッチ素子Ｓ１７，Ｓ１８をオン状態、スイッチ回路２２のスイッチ素子Ｓ２０をオン状態、スイッチ回路２３のスイッチ素子Ｓ２２をオン状態にして、出力端子から電圧レベル“−４Ｖ”を出力する。その後、電力変換装置２０は、出力端子から電圧レベルを“−３Ｖ”、“−２Ｖ”、“−１Ｖ”、“０Ｖ”と順に上げる。
【００４８】
電力変換装置２０は、前述のように異なる９個の電圧レベル（“−４Ｖ”，“−３Ｖ”，“−２Ｖ”，“−１Ｖ”，“０Ｖ”，“＋１Ｖ”，“＋２Ｖ”，“＋３Ｖ”，“＋４Ｖ”）を切替え出力する動作を行なうことで、図４に示す破線のような交流電圧を出力することができ、直流電力を交流電力に変換することができる。
【００４９】
前述したように、本発明の実施の形態１に係る電力変換装置は、直列に接続されるレベルインバータおよびスイッチ回路を増やすことで、出力する電圧レベルの数を増やすことについて、以下のように一般化して表わすことができる。
【００５０】
つまり、本発明の実施の形態１に係る電力変換装置は、２ｎ個直列に接続してある直列３レベルインバータ群と、直列３レベルインバータ群のうちの２個の３レベルインバータの出力を選択する少なくとも１個のスイッチ回路とを備える。そして、スイッチ回路は、直列３レベルインバータ群の隣合う２個の３レベルインバータの出力のうち、いずれか一方を選択することが可能なように２ｎ−１個接続し、スイッチ回路が２個以上の場合、前段に接続された２個のスイッチ回路の出力のうち、いずれか一方を選択することが可能なように次段のスイッチ回路を順に接続して、電力変換装置が１つの出力を得る。
【００５１】
なお、本発明の実施の形態に係る電力変換装置では、スイッチ動作の説明を簡単にするため、交流１周期に電圧レベルを選択する回数を限定して説明したが、交流１周期に複数回スイッチングして電圧レベルを複数回選択することで、よりきめ細かい交流電圧を出力することができ、高周波のより少ない電力変換装置とすることができる。
【００５２】
また、本発明の実施の形態に係る電力変換装置では、電荷蓄積要素としてコンデンサを用いたが、これに限定されるものではなく、たとえば直流電源を接続してもよい。
【００５３】
さらに、本発明の実施の形態に係る電力変換装置では、電荷蓄積要素とスイッチ素子またはダイオードとの間を直結しているが、これに限定されるものではなく、たとえばスイッチ素子がオン−オフの過渡状態の電流の急変を抑制するスナバ回路などを設ける構成であってもよい。
【００５４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５５】
１０，２０  電力変換装置、１０ａ，１０ｂ，２０ａ〜２０ｄ  レベルインバータ、１１，２１〜２３  スイッチ回路、Ｃ１，Ｃ２，Ｃ３，Ｃ４  コンデンサ、Ｄ１〜Ｄ８  ダイオード。
【図１】
0005855891.tif 000002
【図２】
0005855891.tif 000003
【図３】
0005855891.tif 000004
【図４】
0005855891.tif 000005
【図５】
0005855891.tif 000006